(57)【特許請求の範囲】
【請求項１】
カメラモジュールを含み、前記カメラモジュールによる原稿の撮影によって得られた撮影画像を記憶する情報端末と、
原稿の読み取りを伴うジョブの実行時に原稿を読み取り、原稿の読み取りによって得られた読取画像を含むジョブ用ページの画像データを生成する画像形成装置と、を備え、
前記情報端末は、前記撮影画像を記憶した後、設定用ページを表示し、前記設定用ページ内に前記撮影画像をレイアウトする第１の操作を受け付け、前記第１の操作の後、前記撮影画像の一部を切り取った部分画像を指定する第２の操作を受け付けるとともに、前記設定用ページ内における前記撮影画像のレイアウトを示すレイアウト情報に、前記部分画像を判別用画像として追加し、前記判別用画像を含む前記レイアウト情報の前記画像形成装置への送信を行い、
前記画像形成装置は、前記読取画像が前記判別用画像と同じ画像を含むとき、前記読取画像を対象画像として判別し、前記対象画像を含む前記ジョブ用ページの画像データを生成するとき、前記対象画像の前記ジョブ用ページ内におけるレイアウトを前記対象画像に対応する前記撮影画像の前記設定用ページ内におけるレイアウトと同じにし、前記読取画像が前記判別用画像と同じ画像を含まないとき、前記読取画像が前記撮影画像に対応していないことを報知し、前記読取画像の削除又は出力の選択指示を受け付け、前記読取画像の削除が選択されると、前記読取画像を削除し、前記読取画像の出力が選択されると、追加設定された設定内容に基づいて前記読取画像を含む前記ジョブ用ページの画像データを生成し、
前記部分画像は、前記撮影画像よりも小さく、前記撮影画像のうち、前記第２の操作で使用者により指定された領域の画像であることを特徴とする画像形成システム。
【請求項２】
前記情報端末は、前記設定用ページ内に複数の前記撮影画像がレイアウトされた場合、前記設定用ページ内における複数の前記撮影画像の各レイアウトを示す前記レイアウト情報を前記画像形成装置に送信し、
前記画像形成装置は、前記複数の撮影画像にそれぞれ対応する複数の前記読取画像を前記対象画像として判別し、複数の前記対象画像を含む前記ジョブ用ページの画像データを生成するとき、前記複数の対象画像の前記ジョブ用ページ内における各レイアウトを前記複数の撮影画像のうち対応する前記撮影画像の前記設定用ページ内におけるレイアウトと同じにすることを特徴とする請求項１に記載の画像形成システム。
【請求項３】
前記レイアウト情報は、前記設定用ページの予め定められた基準辺から前記撮影画像までの距離を示す情報を含み、
前記画像形成装置は、前記対象画像を含む前記ジョブ用ページの画像データを生成するとき、前記ジョブ用ページの前記基準辺に対応する辺から前記対象画像までの距離を前記レイアウト情報で示される距離と同じにすることを特徴とする請求項１または２に記載の画像形成システム。
【請求項４】
前記レイアウト情報は、前記設定用ページの大きさに対する前記撮影画像の大きさの比率を示す情報を含み、
前記画像形成装置は、前記対象画像を含む前記ジョブ用ページの画像データを生成するとき、前記ジョブ用ページの大きさに対する前記対象画像の大きさの比率を前記レイアウト情報で示される比率と同じにすることを特徴とする請求項１〜３のいずれか１項に記載の画像形成システム。
【請求項５】
前記レイアウト情報は、前記設定用ページ内における前記撮影画像の向きを示す情報を含み、
前記画像形成装置は、前記対象画像を含む前記ジョブ用ページの画像データを生成するとき、前記ジョブ用ページ内における前記対象画像の向きを前記レイアウト情報で示される向きと同じにすることを特徴とする請求項１〜４のいずれか１項に記載の画像形成システム。
【発明の詳細な説明】
【技術分野】
【０００１】
本発明は、情報端末と画像形成装置とを備えた画像形成システムに関する。
【背景技術】
【０００２】
従来、スマートフォンやタブレット端末のような情報端末との間で通信（情報の送受信）を行うことが可能な画像形成装置が知られている。このような画像形成装置は、たとえば、特許文献１に開示されている。
【０００３】
特許文献１の画像形成装置は、印刷アプリ（画像形成装置にジョブを実行させるためのアプリケーション）がインストールされた情報端末との間で通信する。たとえば、情報端末は、画像形成装置に印刷データを送信する。画像形成装置は、情報端末から印刷データを受信すると、その印刷データに基づくジョブを実行する。
【先行技術文献】
【特許文献】
【０００４】
【特許文献１】特開２０１５−２３５３８号公報
【発明の概要】
【発明が解決しようとする課題】
【０００５】
画像形成装置と情報端末とを通信可能に接続した構成では、ジョブ実行条件の設定を情報端末にて行い、当該設定したジョブ実行条件（所望のジョブ実行条件）を情報端末から画像形成装置に送信すれば、ジョブ実行条件を設定するための設定操作を画像形成装置の操作パネルに対して直接行わなくても、所望のジョブ実行条件に基づくジョブを画像形成装置に実行させることができるようになる。
【０００６】
たとえば、情報端末は、ジョブ実行条件の設定を受け付けるとき、画像形成装置に表示される設定画面と同様の設定画面を表示する。すなわち、情報端末を用いてジョブ実行条件を設定するときには、画像形成装置の操作パネルを用いてジョブ実行条件を設定する場合と同様の設定操作を行う必要がある。
【０００７】
ここで、原稿の読み取りを伴うジョブ（コピージョブなど）において、原稿の読み取りによって得られた読取画像のページ内におけるレイアウトが所望のレイアウトとなるようジョブ実行条件を設定する場合には、数多くの設定項目の各設定値を１つずつ所望値に変更する作業（または、確認する作業）を行わなければならない。一例を挙げると、余白の設定や、集約印刷の有効／無効の設定などを行わなければならない。また、集約印刷を有効にした場合には、集約枚数の設定をさらに行わなければならない。このため、情報端末を用いたジョブ実行条件の設定が可能であっても、ユーザーにとっては利便性が悪い。
【０００８】
本発明は、上記課題を解決するためになされたものであり、原稿の読み取りを伴うジョブの開始時に行うべき設定作業を減らすことによってユーザーの利便性を向上させることが可能な画像形成システムを提供することを目的とする。
【課題を解決するための手段】
【０００９】
上記目的を達成するために、本発明の画像形成システムは、カメラモジュールを含み、カメラモジュールによる原稿の撮影によって得られた撮影画像を記憶する情報端末と、原稿の読み取りを伴うジョブの実行時に原稿を読み取り、原稿の読み取りによって得られた読取画像を含むジョブ用ページの画像データを生成する画像形成装置と、を備える。情報端末は、撮影画像を記憶した後、設定用ページを表示し、設定用ページ内に撮影画像をレイアウトする操作を受け付けるとともに、設定用ページ内における撮影画像のレイアウトを示すレイアウト情報の画像形成装置への送信を行う。画像形成装置は、撮影画像に対応する読取画像を対象画像として判別し、対象画像を含むジョブ用ページの画像データを生成するとき、対象画像のジョブ用ページ内におけるレイアウトを対象画像に対応する撮影画像の設定用ページ内におけるレイアウトと同じにする。
【００１０】
本発明の構成では、情報端末を用いて原稿を撮影するとともに、設定用ページ内における撮影画像のレイアウトが所望のレイアウトとなるよう設定用ページ内に撮影画像をレイアウトし、その後、設定用ページ内における撮影画像のレイアウトを示すレイアウト情報を画像形成装置に送信してから、画像形成装置に原稿（情報端末を用いて撮影した原稿と同じ原稿）の読み取りを実行させると、ジョブ用ページ内における読取画像のレイアウトが自動的に所望のレイアウトとなる。このため、ジョブ用ページ内における読取画像のレイアウトを所望のレイアウトに設定するための作業（数多くの設定項目の各設定値を１つずつ所望値に変更する作業や確認する作業など）を減らすことができる。言い換えると、情報端末を用いて原稿を撮影し、撮影画像を設定用ページ内にレイアウトする操作を行うだけでよくなる。これにより、原稿の読み取りを伴うジョブの開始時に行うべき設定作業が減るので、ユーザーの利便性が向上する。
【発明の効果】
【００１１】
本発明によれば、原稿の読み取りを伴うジョブの開始時に行うべき設定作業が減り、その結果、ユーザーの利便性が向上する。
【図面の簡単な説明】
【００１２】
【図１】本発明の一実施形態による画像形成システムを示す図
【図２】本発明の一実施形態による画像形成システムを構成する複合機を示す図
【図３】本発明の一実施形態による画像形成システムを構成するモバイル端末に表示されるレイアウト設定画面を示す図
【図４】図３に示したレイアウト設定画面に対して行われるレイアウト操作（移動操作）について説明するための図
【図５】図３に示したレイアウト設定画面に対して行われるレイアウト操作（拡大／縮小操作）について説明するための図
【図６】図３に示したレイアウト設定画面に対して行われるレイアウト操作（回転操作）について説明するための図
【図７】図３に示したレイアウト設定画面の設定用ページ内に撮影画像がレイアウトされた状態を示す図
【図８】図３に示したレイアウト設定画面の設定用ページ内にレイアウトされた撮影画像に対応する判別用画像を選択するときに行われる操作について説明するための図
【図９】本発明の一実施形態による画像形成システムを構成する複合機がモバイル端末からレイアウト情報を受信したときの処理の流れについて説明するためのフローチャート
【図１０】本発明の一実施形態による画像形成システムを構成する複合機にて生成されるジョブ用ページを示す図
【図１１】本発明の一実施形態による画像形成システムを構成する複合機に表示される第１報知画面を示す図
【図１２】本発明の一実施形態による画像形成システムを構成する複合機に表示される第２報知画面を示す図
【発明を実施するための形態】
【００１３】
＜画像形成システムの概要＞
図１に示すように、本実施形態の画像形成システム１００は、モバイル端末２００および複合機３００を備える。たとえば、モバイル端末２００は、スマートフォンやタブレット端末であり、複合機３００のユーザーにより所有される。複合機３００は、スキャン機能やプリント機能など複数種の機能を搭載する画像形成装置である。なお、モバイル端末２００は「情報端末」に相当し、複合機３００は「画像形成装置」に相当する。
【００１４】
モバイル端末２００および複合機３００は、互いに通信可能に接続され、画像データなど種々の情報を送受信する。特に限定されないが、モバイル端末２００と複合機３００との間では、近距離無線通信や無線ＬＡＮ通信などの通信規格に準拠した無線通信が行われる。
【００１５】
たとえば、モバイル端末２００は、ジョブ実行条件の設定をユーザーから受け付け、当該設定を受け付けたジョブ実行条件の設定内容を示す実行条件情報を複合機３００に送信する。複合機３００は、実行条件情報を受信すると、その実行条件情報で示されるジョブ実行条件に基づきジョブを実行する。すなわち、モバイル端末２００は、実行条件情報で示されるジョブ実行条件に基づくジョブを複合機３００に実行させる。これにより、ジョブ実行条件を設定するための設定操作を複合機３００に対して直接行わなくても、ユーザー所望のジョブ実行条件で複合機３００にジョブを実行させることができる。
【００１６】
＜モバイル端末の構成＞
モバイル端末２００は、図１に示すように、タッチパネルディスプレイ２１０およびカメラモジュール２２０を備える。タッチパネルディスプレイ２１０は、各種画面（たとえば、後述するレイアウト設定画面２００Ｓなど）を表示し、当該画面に対するタッチ操作をユーザーから受け付ける。
【００１７】
カメラモジュール２２０は、レンズ、撮像素子およびカメラ制御回路などを含み、静止画や動画などを撮像する。なお、カメラモジュール２２０を用いて撮影した静止画などの画像は、タッチパネルディスプレイ２１０に表示させることができる。
【００１８】
また、モバイル端末２００は、端末制御部２３０、端末通信部２４０および端末記憶部２５０を備える。端末制御部２３０は、ＣＰＵや画像処理回路などを含む。ＣＰＵは、制御用プログラムに基づきモバイル端末２００の全体制御を行う。画像処理回路は、種々の画像処理（カメラモジュール２２０が撮像した画像の画像処理など）を行う。
【００１９】
たとえば、端末制御部２３０は、タッチパネルディスプレイ２１０に対して行われたタッチ操作を検知し、タッチパネルディスプレイ２１０に適切な画面を表示させる、また、端末制御部２３０は、カメラモジュール２２０に指示を与え、静止画や動画などを撮像させる。
【００２０】
端末通信部２４０は、通信回路などを含む。端末通信部２４０は、端末制御部２３０により制御され、複合機３００との間で通信を行う。端末記憶部２５０は、ＲＯＭやＲＡＭなどのメモリーを含み、制御用プログラムを記憶する（制御用プログラムは、ＲＯＭに予め記憶され、ＲＡＭに展開される）。また、端末記憶部２５０は、カメラモジュール２２０による撮像によって得られた画像を記憶する。
【００２１】
ここで、端末記憶部２５０は、複合機３００に実行させるジョブに関する設定を行うためのアプリケーションＡＰ（以下、複合機アプリＡＰと称する）を記憶する。この複合機アプリＡＰの機能を利用すると、モバイル端末２００を用いて、複合機３００に実行させるジョブに関する設定を行うことができるようになる。なお、複合機アプリＡＰは、複合機３００のメーカーから提供される。たとえば、複合機アプリＡＰは、インターネット通信によって外部サーバー（図示せず）からモバイル端末２００にダウンロードされる。
【００２２】
たとえば、モバイル端末２００に複合機アプリＡＰがインストールされている場合、端末制御部２３０は、複合機アプリＡＰの起動指示をユーザーから受け付けるためのアイコン（図示せず）をタッチパネルディスプレイ２１０に表示させる。そして、複合機アプリＡＰの起動指示（複合機アプリＡＰのアイコンに対するタッチ操作）を受け付けると、端末制御部２３０は、複合機アプリＡＰを起動させる。これにより、複合機アプリＡＰの機能を利用できるようになる。詳細は後述する。
【００２３】
＜複合機の構成＞
複合機３００は、図２に示すように、画像読取部３１０、印刷部３２０および操作パネル３３０を備える。
【００２４】
画像読取部３１０は、コンタクトガラスＧ１上に載置された原稿を読み取る載置読取およびコンタクトガラスＧ２上に搬送される原稿を読み取る搬送読取の実行が可能に構成される。搬送読取の実行時には、原稿搬送ユニット３１１によって原稿がコンタクトガラスＧ２上に搬送される。そして、画像読取部３１０は、搬送中の原稿がコンタクトガラスＧ２上を通過するときに、当該原稿の読み取りを行う。
【００２５】
印刷部３２０は、用紙搬送路（図２では、用紙搬送路を破線で示す）に沿って用紙を搬送するとともに、印刷すべき画像の画像データに基づいて形成されたトナー像を搬送中の用紙に印刷（転写）する。たとえば、印刷部３２０は、画像読取部３１０が読み取った原稿の画像を用紙に印刷する。
【００２６】
操作パネル３３０は、タッチパネルディスプレイ３３１やハードウェアキー３３２を含む。タッチパネルディスプレイ３３１は、各種画面を表示し、当該画面に対するタッチ操作をユーザーから受け付ける。たとえば、タッチパネルディスプレイ３３１は、ジョブに関する設定を受け付けるためのソフトウェアキーを配した画面（図示せず）を表示する。ハードウェアキー３３２は、操作パネル３３０に複数設けられる。たとえば、ハードウェアキー３３２としては、ジョブの開始指示をユーザーから受け付けるためのスタートキーなどがある。
【００２７】
また、複合機３００は、図１に示すように、複合機制御部３４０、複合機通信部３５０および複合機記憶部３６０を備える。複合機制御部３４０は、ＣＰＵや画像処理回路などを含む。ＣＰＵは、制御用プログラムに基づき複合機３００の全体制御を行う。画像処理回路は、種々の画像処理（画像読取部３１０が読み取った画像の画像処理など）を行う。
【００２８】
たとえば、複合機制御部３４０は、画像読取部３１０の読取動作や印刷部３２０の印刷動作を制御する。また、複合機制御部３４０は、操作パネル３３０の表示動作を制御したり、操作パネル３３０に対して行われた操作を検知したりする。
【００２９】
複合機通信部３５０は、通信回路などを含む。複合機通信部３５０は、複合機制御部３４０により制御され、モバイル端末２００との間で通信を行う。また、複合機通信部３５０は、パーソナルコンピューター（複合機３００のユーザーによって使用されるユーザー端末）やファクシミリなどの外部機器と通信可能に接続される。複合機記憶部３６０は、ＲＯＭやＲＡＭなどのメモリーを含み、制御用プログラムを記憶する（制御用プログラムは、ＲＯＭに予め記憶され、ＲＡＭに展開される）。
【００３０】
たとえば、コピージョブを実行する場合、複合機制御部３４０は、原稿の読み取りを画像読取部３１０に行わせ、原稿の読み取りによって得られた読取画像を含むページである印刷ページ（「ジョブ用ページ」に相当）の画像データを生成する。そして、複合機制御部３４０は、印刷ページの印刷を印刷部３２０に行わせる。
【００３１】
別の例として、送信ジョブ（外部機器にページの画像データを送信するジョブ）を実行する場合、複合機制御部３４０は、原稿の読み取りによって得られた読取画像を含むページである送信ページ（「ジョブ用ページ」に相当）の画像データを生成する。そして、複合機制御部３４０は、送信ページの送信を複合機通信部３５０に行わせる。
【００３２】
＜モバイル端末でのレイアウトの設定＞
モバイル端末２００に複合機アプリＡＰをインストールした後、複合機アプリＡＰを起動すると、モバイル端末２００を用いて、複合機３００にて生成される印刷ページや送信ページなどのジョブ用ページ内における画像のレイアウト（当該画像の配置位置、大きさおよび向き）を設定することが可能となる。
【００３３】
端末制御部２３０は、複合機アプリＡＰを起動する操作（複合機アプリＡＰのアイコンに対するタッチ操作）を検知すると、タッチパネルディスプレイ２１０にメニュー画面（図示せず）を表示させる。このメニュー画面には、レイアウト設定という項目を含む複数の項目が選択肢として示される。
【００３４】
複数の項目のうち、レイアウト設定という項目を選択する操作（当該項目の表示領域に対するタッチ操作）を受け付けると、図示しないが、端末制御部２３０は、ジョブ用ページ内にレイアウトしたい原稿を撮影するようユーザーに促すための撮影要求メッセージをタッチパネルディスプレイ２１０に表示させる。これにより、モバイル端末２００を用いた原稿の撮影が行われる。なお、原稿の撮影を１枚ずつ行わせるため、その旨を示すメッセージを撮影要求メッセージに含めてもよい。そして、原稿が撮影されると、端末制御部２３０は、原稿の撮影によって得られた撮影画像の画像データを生成し、撮影画像を端末記憶部２５０に記憶させる。
【００３５】
また、端末制御部２３０は、撮影要求メッセージの表示以降、原稿の撮影が完了したか否かを判断する。たとえば、端末制御部２３０は、予め定められた撮影完了操作が行われたことを検知すると、原稿の撮影が完了したと判断する。図示しないが、タッチパネルディスプレイ２１０は、撮影完了キー（ソフトウェアキー）を表示する。そして、端末制御部２３０は、撮影完了キーに対するタッチ操作を撮影完了操作として受け付ける。
【００３６】
原稿の撮影が完了したと判断すると、端末制御部２３０は、図３に示すようなレイアウト設定画面２００Ｓをタッチパネルディスプレイ２１０に表示させる。レイアウト設定画面２００Ｓは、レイアウト設定をユーザーから受け付けるための画面である。このレイアウト設定画面２００Ｓは、第１領域Ａ１および第２領域Ａ２に分類される。第１領域Ａ１には、設定用ページＳＰが表示される。なお、設定用ページＳＰの大きさおよび向きは、ユーザーによって設定される（任意に変更可能である）。そして、後述するジョブ用ページＪＰ（図１０参照）の大きさおよび向きは、このときに設定された設定用ページＳＰの大きさおよび向きと同じになる。
【００３７】
第２領域Ａ２には、原稿の撮影によって得られた撮影画像１０が表示される。なお、第２領域Ａ２に表示される撮影画像１０は、撮影要求メッセージが表示されてから撮影完了操作を行うまでの有効期間に撮影した原稿の画像である。すなわち、有効期間内に複数枚の原稿を撮影すると、第２領域Ａ２には複数の撮影画像１０が表示される。図３では、一例として、複数の撮影画像１０（撮影画像１１および１２）が第２領域Ａ２に表示されたレイアウト設定画面２００Ｓを図示する。
【００３８】
レイアウト設定画面２００Ｓの表示後、レイアウト設定画面２００Ｓに対して、設定用ページＰＳ内に撮影画像１０をレイアウトするレイアウト操作が行われたことを検知すると、端末制御部２３０は、当該検知したレイアウト操作に応じて、設定用ページＰＳ内に撮影画像１０をレイアウトする。なお、レイアウト操作は、移動操作、拡大／縮小操作および回転操作を含む。以下、図４〜図６を参照し、レイアウト操作について説明する。図４〜図６では、タッチ点を白抜きの丸印で示し、タッチ点の移動方向を白抜きの矢印で示す。
【００３９】
移動操作は、撮影画像１０を移動させるための操作であり、たとえば、図４に示すようなタッチ操作である。すなわち、端末制御部２３０は、撮影画像１０の中央部の１点をタッチし、タッチ点を移動させてからタッチを解除する操作が行われると、その操作を移動操作として検知する。図４では、移動操作前の撮影画像１０の外縁を破線で示す。
【００４０】
たとえば、第２領域Ａ２に表示された撮像画像１０の中央部の１点をタッチし、第２領域Ａ２から第１領域Ａ１にタッチ点を移動させてからタッチを解除すると、その操作が移動操作として検知され、第２領域Ａ２に表示された撮像画像１０を第１領域Ａ１に移動させることができる。なお、設定用ページＳＰ内だけで移動操作を行えば、設定用ページＳＰ内の或る位置にレイアウトした撮影画像１０を設定用ページＳＰ内の別の位置に移動させることもできる。
【００４１】
拡大／縮小操作は、撮影画像１０を拡大／縮小するための操作であり、たとえば、図５に示すようなタッチ操作である。すなわち、端末制御部２３０は、撮影画像１０の２点をタッチし、２点間の距離を広げるまたは狭めてからタッチを解除する操作が行われると、その操作を拡大／縮小操作として検知する。図５では、拡大／縮小操作前の撮影画像１０の外縁を破線で示す。
【００４２】
たとえば、設定用ページＳＰ内にレイアウトした撮影画像１０の２点をタッチし、２点間の距離を広げてからタッチを解除すると、その操作が拡大操作として検知され、設定用ページＳＰ内にレイアウトした撮影画像１０を拡大することができる。なお、図示しないが、設定用ページＳＰ内にレイアウトした撮影画像１０の２点をタッチし、２点間の距離を狭めてからタッチを解除すると、その操作が縮小操作として検知され、縮小操作の対象となった撮影画像１０が縮小される。
【００４３】
回転操作は、撮影画像１０を回転させるための操作であり、たとえば、図６に示すようなタッチ操作である。すなわち、端末制御部２３０は、撮影画像１０の縁部の１点をタッチし、タッチした撮影画像１０の中心を支点に円弧を描くようにタッチ点を移動させてからタッチを解除する操作が行われると、その操作を回転操作として検知する。図６では、回転操作前の撮影画像１０の外縁を破線で示す。
【００４４】
たとえば、設定用ページＳＰ内にレイアウトした撮影画像１０に対して回転操作を行うと、回転操作の対象となった撮影画像１０が回転していく。すなわち、撮影画像１０の向きが変化していく。なお、このとき、撮影画像１０を９０°単位で回転させてもよい。
【００４５】
このようなレイアウト操作を行うことにより、たとえば、図７に示すように、設定用ページＳＰ内に撮影画像１０をレイアウトすることができる。
【００４６】
端末制御部２３０は、設定用ページＳＰ内に撮影画像１０がレイアウトされると（撮影画像１０を設定用ページＳＰに移動させる移動操作が少なくとも行われると）、撮影画像１０のレイアウトが確定したか否かを判断する。たとえば、端末制御部２３０は、予め定められた確定操作が行われたことを検知すると、撮影画像１０のレイアウトが確定したと判断する。特に限定されないが、タッチパネルディスプレイ２１０は、確定キーＤＫ（ソフトウェアキー）をレイアウト設定画面２００Ｓ内に表示する。そして、端末制御部２３０は、確定キーＤＫに対するタッチ操作を確定操作として受け付ける。
【００４７】
撮影画像１０のレイアウトが確定したと判断すると、端末制御部２３０は、設定用ページＳＰ内にレイアウトされた撮影画像１０の一部を切り取った部分画像を判別用画像１０Ｄ（図８参照）に設定する。たとえば、端末制御部２３０は、判別用画像１０Ｄを設定するため、撮影画像１０のうち判別用画像１０Ｄとする部分を選択する操作である選択操作の受け付けをタッチパネルディスプレイ２１０に行わせる。このとき、タッチパネルディスプレイ２１０は、図示しないが、撮影画像１０のうち画像が存在する部分に対するタッチを促すメッセージ（選択操作を促すメッセージ）を表示する。
【００４８】
これにより、図８に示すように、撮影画像１０の表示領域のうち画像が存在する位置をタッチする操作（選択操作）がユーザーによって行われる。図８では、タッチ位置を白抜きの丸印で示す。
【００４９】
選択操作が行われると、端末制御部２３０は、たとえば、選択操作時のタッチ点を中心とする四角形状の部分を判別用画像１０Ｄに設定する。なお、設定用ページＳＰ内に複数の撮影画像１１および１２がレイアウトされている場合には、複数の撮影画像１１および１２のそれぞれに対して判別用画像１０Ｄを設定する処理が行われる。すなわち、この場合には、複数の撮像画像１１および１２のそれぞれに対して選択操作を行う必要がある。仮に、選択操作を行っていない撮影画像１０が設定用ページＳＰ内に残っていると、選択操作を促すメッセージの表示が続く。
【００５０】
判別用画像１０Ｄの設定後、端末制御部２３０は、設定用ページＳＰ内における撮影画像１０のレイアウトを示すレイアウト情報３０を端末記憶部２５０に記憶させる（図１参照）。なお、レイアウト情報３０には判別用画像１０Ｄも含まれる。
【００５１】
ここで、レイアウト情報３０には、設定用ページＳＰ内における撮影画像１０の配置位置を示す位置データ、設定用ページＳＰ内における撮影画像１０の大きさを示すサイズデータ、および、設定用ページＳＰ内における撮影画像１０の向きを示す向きデータが含まれる。
【００５２】
たとえば、図８に示すように、設定用ページＳＰでは、左右方向に対向する一対の辺の片方が基準辺ＲＳとされ、上下方向に対向する一対の辺の片方が基準辺ＲＳとされる。図８では、左辺および下辺がそれぞれ基準辺ＲＳとされている場合を図示する（ここでは、基準辺ＲＳとしての左辺に符号ＲＳ１を付し、基準辺ＲＳとしての下辺に符号ＲＳ２を付す）。そして、設定用ページＳＰの左辺ＲＳ１から撮影画像１０の左辺（縁）までの距離Ｄ１、および、設定用ページＳＰの下辺ＲＳ２から撮影画像１０の下辺（縁）までの距離Ｄ２をそれぞれ示すデータが位置データとしてレイアウト情報３０に含められる。なお、読取用ページＳＰ内に複数の撮影画像１１および１２がレイアウトされている場合には、複数の撮影画像１１および１２にそれぞれ対応する複数の位置データがレイアウト情報３０に含められる。
【００５３】
また、設定用ページＳＰの大きさに対する撮影画像１０の大きさの比率を示すデータがサイズデータとしてレイアウト情報３０に含められる。さらに、設定用ページＳＰ内における撮影画像１０の左右方向の向きおよび上下方向の向きの少なくとも一方を示すデータが向きデータとしてレイアウト情報３０に含められる。たとえば、設定用ページＳＰ内における判別用画像１０Ｄの向きを示すデータが向きデータとされる。なお、読取用ページＳＰ内に複数の撮影画像１１および１２がレイアウトされている場合には、複数の撮影画像１１および１２にそれぞれ対応する複数のサイズデータがレイアウト情報３０に含められ、複数の撮影画像１１および１２にそれぞれ対応する複数の向きデータがレイアウト情報３０に含められる。
【００５４】
＜複合機へのレイアウト情報の送信＞
モバイル端末２００でのレイアウト設定が完了すると、モバイル端末２００から複合機３００へのレイアウト情報３０の送信が可能となる。たとえば、モバイル端末２００でのレイアウト設定が完了した後、メニュー画面（図示せず）に戻ると、レイアウト送信という項目が選択肢として追加される。そして、レイアウト送信という項目を選択する操作（当該項目の表示領域に対するタッチ操作）を行うと、たとえば、送信指示受付画面（図示せず）がモバイル端末２００に表示される。
【００５５】
送信指示受付画面（図示せず）には、複合機３００へのレイアウト情報３０の送信指示をユーザーから受け付けるための送信キー（ソフトウェアキー）が配される。なお、このとき、撮影画像１０がレイアウトされた設定用ページＳＰをプレビュー表示してもよい。そして、モバイル端末２００に対して送信指示を行うと、モバイル端末２００から複合機３００にレイアウト情報３０が送信される。
【００５６】
複合機３００がレイアウト情報３０を受信すると、複合機制御部３４０は、原稿の読み取りを伴うジョブ（コピージョブや送信ジョブ）を自動レイアウトモードで実行する。自動レイアウトモードでのジョブの実行時には、複合機制御部３４０によって自動レイアウト処理が行われる（詳細は後述する）。
【００５７】
以下、図９に示すフローチャートを参照し、自動レイアウトモードでジョブを実行するときの処理の流れについて説明する。図９に示すフローチャートのスタートは、複合機３００がモバイル端末２００からレイアウト情報３０を受信したときにスタートする。以下の説明では、設定用ページＳＰ内にレイアウトされた撮影画像１０を単に撮影画像１０と称する。
【００５８】
ステップＳ１において、複合機制御部３４０は、自動レイアウトモードに移行する。そして、ステップＳ２において、複合機制御部３４０は、原稿の読み取りを伴うジョブの開始指示を操作パネル３３０が受け付けたか否かを判断する。その結果、ジョブの開始指示を受け付けたと複合機制御部３４０が判断した場合には、ステップＳ３に移行する。一方で、ジョブの開始指示を受け付けていないと複合機制御部３４０が判断した場合には、ステップＳ２の判断が繰り返される。なお、自動レイアウトモードに移行した後、ジョブの開始指示を受け付ける前に、予め定められたキャンセル操作が操作パネル３３０に対して行われると、複合機制御部３４０は、自動レイアウトモードから通常モードに復帰する。
【００５９】
ステップＳ３に移行した場合、複合機制御部３４０は、原稿の読み取りを画像読取部３１０に行わせ、原稿の読み取りによって得られた読取画像の画像データを生成する。この読取画像の画像データは複合機記憶部３６０に記憶される。その後、ステップＳ４に移行する。
【００６０】
ステップＳ４に移行すると、複合機制御部３４０は、撮影画像１０に対応する読取画像を対象画像２０（図１０参照）として判別する処理である画像判別処理を行う。この画像判別処理では、レイアウト情報３０に含まれる判別用画像１０Ｄと同じ画像を含む読取画像が抽出され、当該抽出された読取画像が対象画像２０として判別される。たとえば、複合機制御部３４０は、判別用画像１０Ｄとの類似度が所定閾値以上である画像を判別用画像１０Ｄと同じ画像と認識する。すなわち、画像判別処理にて対象画像２０として判別される読取画像は、判別用画像１０Ｄとの類似度が所定閾値以上の画像を含む読取画像である。
【００６１】
その後、ステップＳ５において、複合機制御部３４０は、読取画像が対象画像２０であるか否かを判断する。その結果、読取画像が対象画像２０であると複合機制御部３４０が判断した場合には、ステップＳ６に移行する。
【００６２】
ステップＳ６に移行すると、複合機制御部３４０は、撮影画像１０が複数存在するか否かを判断する。なお、撮影画像１０が複数存在するか否かの判断は、レイアウト情報３０に含まれる判別用画像１０Ｄの個数に基づき行われる。すなわち、判別用画像１０Ｄが１つだけ存在すれば、設定用ページＳＰ内にレイアウトされた撮影画像１０が１つであると判断され、判別用画像１０Ｄが複数存在すれば、設定用ページＳＰ内にレイアウトされた撮影画像１０が複数であると判断される。
【００６３】
ステップＳ６において、撮影画像１０が複数存在すると複合機制御部３４０が判断した場合には、ステップＳ７に移行する。そして、ステップＳ７に移行すると、複合機制御部３４０は、複数の撮影画像１０にそれぞれ対応する複数枚の原稿の読み取りが全て完了したか否かを判断する。言い換えると、複合機制御部３４０は、読取画像が自動レイアウト処理の対象となる対象原稿（判別用画像１０Ｄと同じ画像を含む原稿）の読み取りが全て完了したか否かを判断する。その結果、対象原稿の読み取りが全て完了した（未読取の対象原稿が残っていない）と複合機制御部３４０が判断した場合には、ステップＳ８に移行する。一方で、対象原稿の読み取りが全て完了していない（未読取の対象原稿が残っている）と複合機制御部３４０が判断した場合には、ステップＳ３に移行する（次原稿の読み取りが行われる）。なお、ステップＳ６において、撮影画像１０が１つであると複合機制御部３４０が判断した場合にも、ステップＳ８に移行する。
【００６４】
ステップＳ８に移行すると、複合機制御部３４０は、レイアウト情報３０で示されるレイアウトデータ（位置データ、サイズデータおよび向きデータ）に基づき自動レイアウト処理を行い、ジョブ用ページＪＰ（図１０参照）の画像データを生成する。このとき、対象画像２０のジョブ用ページＪＰ内におけるレイアウトがレイアウト情報３０で示される撮影画像１０の設定用ページＳＰ内におけるレイアウトと同じになるようジョブ用ページＪＰの画像データが生成される。以下、自動レイアウト処理（対象画像２０を含むジョブ用ページＪＰの画像データを生成する処理）について、図１０を参照し、撮影画像１１および１２にそれぞれ対応する対象画像２１および２２をジョブ用ページＪＰ内にレイアウトする場合を例にとって説明する。
【００６５】
複合機制御部３４０は、レイアウト情報３０の位置データに基づき、設定用ページＳＰの左辺ＲＳ１から撮影画像１１の左辺までの距離Ｄ１を認識するとともに、設定用ページＳＰの下辺ＲＳ２から撮影画像１１の下辺までの距離Ｄ２を認識する。そして、ジョブ用ページＪＰ内に対象画像２１をレイアウトするとき、複合機制御部３４０は、ジョブ用ページＪＰの左辺（設定用ページＳＰの左辺ＲＳ１に対応する辺）から対象画像２１の左辺までの距離Ｄ１１が距離Ｄ１となり、ジョブ用ページＪＰの下辺（設定用ページＳＰの下辺ＲＳ２に対応する辺）から対象画像２１の下辺までの距離Ｄ１２が距離Ｄ２となるように、ジョブ用ページＪＰ内における対象画像２１の配置位置を設定する。なお、ジョブ用ページＪＰ内における対象画像２２の配置位置については、撮影画像２２の位置データに基づき設定される。
【００６６】
また、複合機制御部３４０は、レイアウト情報３０のサイズデータに基づき、設定用ページＳＰの大きさに対する撮影画像１１の大きさの比率（自動レイアウト処理で用いる設定用比率）を認識する。そして、ジョブ用ページＪＰ内に対象画像２１をレイアウトするとき、複合機制御部３４０は、ジョブ用ページＪＰの大きさに対する対象画像２１の大きさの比率が設定用比率と同じになるよう対象画像２１の大きさを設定する。なお、対象画像２２の大きさについては、撮影画像２２のサイズデータに基づき設定される。
【００６７】
さらに、複合機制御部３４０は、レイアウト情報３０の向きデータに基づき、撮影画像１１に対応する判別用画像１０Ｄの向きを認識する。そして、ジョブ用ページＪＰ内に対象画像２１をレイアウトするとき、複合機制御部３４０は、対象画像２１の判別用画像１０Ｄに対応する部分の画像（判別用画像１０Ｄとの類似度が所定閾値以上の画像）が判別用画像１０Ｄと同方向に向くよう対象画像２１の向きを設定する。なお、対象画像２２の向きについては、撮影画像２２の向きデータに基づき設定される。
【００６８】
自動レイアウト処理が終わった後、複合機制御部３４０は、ジョブ用ページＪＰの印刷を印刷部３２０に行わせる（当該印刷は実行ジョブがコピージョブである場合に行われる）。あるいは、複合機制御部３４０は、ジョブ用ページＪＰの送信を複合機通信部３５０に行わせる（当該送信は実行ジョブが送信ジョブである場合に行われる）。
【００６９】
図９に戻り、ステップＳ８からステップＳ９に移行すると、複合機制御部３４０は、原稿搬送ユニット３１１に未読取の原稿（次原稿）が残っているか否かを判断する。その結果、未読取の原稿が残っていると複合機制御部３４０が判断した場合には、ステップＳ３に移行する（次原稿の読み取りが行われる）。一方で、未読取の原稿が残っていないと複合機制御部３４０が判断した場合には、本フローは終了する。
【００７０】
ここで、ステップＳ５において、読取画像が対象画像２０でないと複合機制御部３４０が判断した場合には、ステップＳ１０に移行する。ステップＳ１０に移行すると、複合機制御部３４０は、読取画像が対象外画像である旨の報知を操作パネル３３０に行わせる。また、複合機制御部３４０は、対象外画像を削除するか出力するかを選択する操作の受け付けを操作パネル３３０に行わせる。そして、ステップＳ１１において、複合機制御部３４０は、対象外画像を削除する旨を受け付けたか否か（対象外画像を出力しない旨を受け付けたか否か）を判断する。
【００７１】
たとえば、複合機制御部３４０は、図１１に示すような第１報知画面３０１Ｓを操作パネル３３０（タッチパネルディスプレイ３３１）に表示させ、読取画像が対象外画像である旨をユーザーに報知する。特に限定されないが、第１報知画面３０１Ｓには、「読み取った原稿は撮影されていません」といったようなメッセージＭ１１が配される。これにより、読取画像が対象外画像である旨をユーザーに報知することができる。
【００７２】
また、操作パネル３３０は、対象外画像を削除するか出力するかを選択する操作をユーザーから受け付けるため、選択キーＫ１およびＫ２（ソフトウェアキー）を第１報知画面３０１Ｓ内に配する。そして、複合機制御部３４０は、選択キーＫ１に対してタッチ操作が行われると、対象画像を削除する旨を受け付けたと判断し、選択キーＫ２に対してタッチ操作が行われると、対象外画像を出力する旨を受け付けたと判断する。
【００７３】
図９に戻り、ステップＳ１１において、対象外画像を削除する旨を受け付けたと複合機制御部３４０が判断した場合には、ステップＳ１２に移行する。ステップＳ１２に移行すると、複合機制御部３４０は、対象外画像の画像データを削除する。その後、ステップＳ９に移行する。
【００７４】
ステップＳ１１において、対象外画像を出力する旨（対象外画像を削除しない旨）を受け付けたと複合機制御部３４０が判断した場合には、ステップＳ１３に移行する。ステップＳ１３に移行すると、複合機制御部３４０は、ジョブ実行条件の追加設定をユーザーに要求するための処理を行う。そして、ステップＳ１４において、複合機制御部３４０は、追加設定された設定内容に基づき、対象外画像を含むジョブ用ページ（図示せず）の画像データを生成する。その後、ステップＳ９に移行する。
【００７５】
たとえば、複合機制御部３４０は、図１２に示すような第２報知画面３０２Ｓを操作パネル３３０に表示させ、ジョブ実行条件の設定を行うようユーザーに促す。特に限定されないが、第２報知画面３０２Ｓには、「ジョブ実行条件を設定してください」といったようなメッセージＭ２１が配される。なお、ジョブ実行条件に関する設定項目としては、一例を挙げると、「用紙サイズ」、「拡大／縮小」および「ページ集約（４ｉｎ１や２ｉｎ１など）」がある。
【００７６】
また、操作パネル３３０は、「ジョブ実行条件の設定はモバイル端末からでも行えます」といったようなメッセージＭ２２を第２報知画面３０２Ｓ内に配し、モバイル端末２００を用いてジョブ実行条件の設定を行える旨をユーザーに報知する。なお、ジョブ実行条件の設定は、操作パネル３３０に対する直接操作によっても行える。これにより、ジョブ実行条件の追加設定をユーザーに行わせることができる。
【００７７】
本実施形態の構成では、モバイル端末２００を用いて原稿を撮影するとともに、設定用ページＳＰ内における撮影画像１０のレイアウトが所望のレイアウトとなるよう設定用ページＳＰ内に撮影画像１０をレイアウトし、その後、設定用ページＳＰ内における撮影画像１０のレイアウトを示すレイアウト情報３０を複合機３００に送信してから、複合機３００に原稿（モバイル端末２００を用いて撮影した原稿と同じ原稿）の読み取りを実行させると、ジョブ用ページＪＰ内における読取画像のレイアウトが自動的に所望のレイアウトとなる。したがって、ジョブ用ページＪＰ内における読取画像のレイアウトを所望のレイアウトに設定するための作業（数多くの設定項目の各設定値を１つずつ所望値に変更する作業や確認する作業など）を減らすことができる。言い換えると、モバイル端末２００を用いて原稿を撮影し、撮影画像１０を設定用ページＳＰ内にレイアウトする操作を行うだけでよくなる。これにより、原稿の読み取りを伴うジョブの開始時に行うべき設定作業が減るので、ユーザーの利便性が向上する。
【００７８】
また、本実施形態の構成では、設定用ページＳＰ内にレイアウトされた撮影画像１０に対応する原稿とは異なる原稿を複合機３００が読み取った場合（読取画像が対象画像２０でない場合）、すなわち、ユーザーが誤って不要な原稿を複合機３００にセットした場合に、その旨をユーザーに報知するので、ユーザーの利便性がより向上する。
【００７９】
ここで、ユーザーによっては、自動レイアウトモードでのジョブを複合機３００に実行させるとき、原稿束に不要な原稿（モバイル端末２００を用いて撮影した原稿とは異なる原稿）を意図せず混入させてしまう場合がある。
【００８０】
しかし、本実施形態の構成では、自動レイアウトモードでのジョブの実行時に自動レイアウト処理が行われるので、対象画像２０と対象外画像（不要な原稿の読取画像）とが混在したジョブ用ページの画像データや、対象外画像だけを含むジョブ用ページの画像データなどが不必要に生成されることはない。これにより、複合機３００に原稿束をセットするとき、各原稿を１枚ずつ確認する作業を行わなくてもよくなり、ユーザーの利便性が向上する。さらに、複合機３００に原稿束をセットするときに、各原稿の画像の向きを気にする必要もない。
【００８１】
また、本実施形態の構成では、読取画像が対象外画像であるとき、対象外画像を削除することもできるし、対象外画像を含むジョブ用ページの印刷（または、送信）を実行させることもできるので、ユーザーにとっては利便性が良い。
【００８２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８３】
１０  撮影画像
１０Ｄ  判別用画像
２０  対象画像
１００  画像形成システム
２００  モバイル端末（情報端末）
３００  複合機（画像形成装置）
ＪＰ  ジョブ用ページ
ＳＰ  設定用ページ
【図１】
0006561906.tif 000002
【図２】
0006561906.tif 000003
【図３】
0006561906.tif 000004
【図４】
0006561906.tif 000005
【図５】
0006561906.tif 000006
【図６】
0006561906.tif 000007
【図７】
0006561906.tif 000008
【図８】
0006561906.tif 000009
【図９】
0006561906.tif 000010
【図１０】
0006561906.tif 000011
【図１１】
0006561906.tif 000012
【図１２】
0006561906.tif 000013